(57)【要約】      （修正有）【課題】低電圧駆動が可能であって、オゾン発生量を減らしながら最大限にイオン発生量を増加させることができるイオン発生装置を提供する。【解決手段】低電圧で室内に浮游する細菌を除去することができる十分な量のプラスイオン及びマイナスイオンを発生するイオン発生器を開示する。前記イオン発生器は、上下に分離可能に結合される上下部ケース２、４と、前記下部ケース２内部に位置して交流電圧の印加を受ける電源回路部Ｖ１と、前記電源回路部へ印加される交流電源を直流電源に変えて増幅させる高圧回路部Ｖ２と、前記高圧回路部に電源の印加を受けて放電を行う陽イオン及び陰イオン電極８、１０と、を含み、前記陽イオン及び陰イオン電極は針状電極であり、前記下部ケースには絶縁のためのエポキシ樹脂が充填されることを特徴とする。【選択図】図１
0003109790.tif 000002
【実用新案登録請求の範囲】
【請求項１】
上下に分離可能に結合される上下部ケースと、
前記下部ケース内部に位置して交流電圧の印加を受ける電源回路部と、
前記電源回路部へ印加される交流電源を直流電源に変えて増幅する高圧回路部と、
前記高圧回路部に電源の印加を受けて放電を行う陽イオン及び陰イオン電極と、
を含み、
前記陽イオン及び陰イオン電極は針状電極であり、前記下部ケースには絶縁のためのエポキシ樹脂が充填されることを特徴とする、イオン発生装置。
【請求項２】
前記上部ケースにはスリーブが突出形成され、このスリーブの内側に前記針状電極である陽イオン電極及び陰イオン電極が位置することを特徴とする、請求項１に記載のイオン発生装置。
【請求項３】
前記陽イオン及び陰イオン電極の先端部にはロジウムがメッキされたことを特徴とする、請求項１に記載のイオン発生装置。
【請求項４】
前記陽イオン電極には陰イオン電極より低い電圧が印加されることを特徴とする、請求項１に記載のイオン発生装置。
【考案の詳細な説明】
【技術分野】
【０００１】
本考案は、低電圧でも室内に浮游する細菌を十分に殺菌できる程度の量のプラスイオンとマイナスイオンを放出することができるイオン発生器に関するものである。
【背景技術】
【０００２】
冷暖房熱が外部へ漏出することを防止するために近来に建築される建物は窓や出入口などに気密維持手段が設けられている。
【０００３】
そして、このような気密維持手段によって室内の換気がよくできないために空気清浄器を稼動させている所が多い。
【０００４】
現在室内で使用している空気清浄器はマイナスイオンのみを室内に放出して空気中のイオン濃度を高めることによって室内空気を快適にしている。
【０００５】
しかし、室内で多くの人が会議などをする時、多くの人が狭い空間で同時に呼吸するために呼吸により二酸化炭素の量が大きく増加し、これは室内にあるマイナスイオンの量を減少させる要因となり、室内の空気が再び混濁する。
【０００６】
特に喫煙をする時には喫煙時に排出されるタバコの煙によってマイナスイオンが急激に減るので室内の空気はさらに混濁する。
【０００７】
このように室内の空気が混濁した状態で特に室内に細菌が浮遊していれば、人の健康によくない影響を与える。
【０００８】
このような問題点を解決するための方案の一つとしてプラスイオンとマイナスイオンを同時に放出して室内に浮游する細菌を除去する技術が公知されている。
【０００９】
特許文献１では室内に浮游する細菌を除去することができる技術的事項について開示している。
【００１０】
そして特許文献２では低電圧でプラスイオンとマイナスイオンを放出することができる技術的事項を開示している。
【００１１】
しかし、前記で言及した従来技術は円筒形の電極や板形の電極を開示している。このような形状の電極は満足する程度の低電圧駆動を実現することが難しく、プラスイオンとマイナスイオンが同時に放出される時、プラスイオン放出量の制御が難しいためオゾンの発生量が増加するという問題点がある。
【特許文献１】特開２００２-９５７３１号公報
【特許文献２】特開２００３-４７６５１号公報
【考案の開示】
【考案が解決しようとする課題】
【００１２】
本考案は前記で言及した従来技術の問題点を解決するために案出されたものであって、本考案の目的は、低電圧駆動が可能であって、オゾン発生量を減少させながら最大限にイオン発生量を増加させることができるイオン発生装置を提供することにある。
【課題を解決するための手段】
【００１３】
前記本考案の目的を実現するために、上下に分離可能に結合される上下部ケースと、前記下部ケース内部に位置して交流電圧の印加を受ける電源回路部と、前記電源回路部へ印加される交流電源を直流電源に変えて増幅する高圧回路部と、前記高圧回路部に電源の印加を受けて放電を行う陽イオン及び陰イオン電極と、を含み、前記陽イオン及び陰イオン電極は針状電極であり、前記下部ケースには絶縁のためのエポキシ樹脂が充填されることを特徴とするイオン発生装置を提供する。
【考案の効果】
【００１４】
本考案によるイオン発生装置は、陽イオンと陰イオンを同時に発生させて室内の空気を最適化することができ、陽イオンの発生量を陰イオンの発生量より少なくしてオゾンの生成を減らすことができる。
【００１５】
さらに、イオン発生電極を針状電極で構成しているために満足できる程度のイオン発生量を得ることができる。
【００１６】
また、ケースにスリーブを作って、このスリーブの内側に陽イオン及び陰イオン電極を位置させるので電極周囲のホコリなどが電極に付着することを減少させることができ、ロジウムで電極先端部をメッキして放電による電極の摩耗などを防止することができる。
したがって、時間が経過するに従って減少するイオンの発生量を常に一定に維持することができる。
【考案を実施するための最良の形態】
【００１７】
以下、本考案の好ましい実施例を添付した図面を参照してさらに詳細に説明する。
【００１８】
図１は、本考案によるイオン発生装置の断面図であり、図２は本考案のイオン発生装置に適した電極の断面図であり、図３は本考案のイオン発生装置に適用される電極の他の実施例を示す図面であり、図４は本考案のイオン発生装置に適用できる制御部を説明するための図面である。
【００１９】
図１に示したようにイオン発生装置は下部ケース２と上部ケース４が分離可能な結合構造で構成される。
【００２０】
前記下部ケース２には電源の供給を受けられる電源引入線６が連結された電源回路部Ｖ１が内蔵されており、この電源回路部Ｖ１から電源の供給を受けて電圧を増幅する高圧回路部Ｖ２が内蔵される。
【００２１】
前記高圧回路部Ｖ２は、図４に示したように電源が入力されれば交流電源に含まれたノイズ成分を除去するフィルター部Ｓ１、ノイズ成分がフィルタリングされた交流電源を整流して直流電源で出力する整流部Ｓ２を含む。
【００２２】
また、この高圧回路部は、前記整流部から印加される直流電源をスイッチング作動させるスイッチ部Ｓ３、このスイッチ部のスイッチ動作によって１次側電圧が制御されて２次側に高電圧が誘起されるトランスＳ４を構成しており、このスイッチ部Ｓ３のスイッチング時点を制御する時定数部Ｓ５をさらに含んでいる。
【００２３】
そして前記トランスの２次側コイルから印加される電圧によって充電され、設定された容量の充電が行われれば放電されて陽イオン電極８を通じて大気放電を起こす第１充放電部Ｓ６と、トランスの２次側コイルから印加される電圧によって充電され設定された容量の充電が行われれば放電されて陰イオン電極１０を通じて大気放電を起こす第２充放電部Ｓ７を含む。
【００２４】
前記第１充放電部の容量は前記第２充放電部の容量より少なくして陽イオンが陰イオンより少なく発生するようにすれば、陽イオンと陰イオンが同時に発生する場合に現れるオゾンの発生量を減らすことができる。
【００２５】
前記高圧回路部の出力端に連結される陽イオン電極８と陰イオン電極１０は前記上部ケース４へ突出した構造をしている。
【００２６】
前記陽イオン電極８と陰イオン電極１０は前記高圧回路部Ｖ２と連結されて電圧の印加を受けるが、これら電極８、１０が大気中で放電が最もよく起こる構造を有する。
【００２７】
本実施例で前記陽イオン及び陰イオン電極８、１０は図２に示されているように針状電極である。この針状電極は先端がとがっている形状からなり、その材質はステンレススチールである。
【００２８】
前記電極の形状が針状電極構造を持っていれば、この電極付近の電場を強くすることができ、このように強い電場を形成する電極は大気中の水分子をプラス水素イオンとマイナス酸素イオンに分解するのに効果的である。
【００２９】
前記陽イオン電極８と陰イオン電極１０は互いに放電が起こらないように前記上部ケース４から伸びるスリーブ１２、１４内側に位置する。
【００３０】
前記電源回路部Ｖ１、高圧回路部Ｖ２、前記陽イオン及び陰イオン電極８、１０は前記下部ケース２に内蔵された状態でこの下部ケースにエポキシ樹脂１６が充填されて流動しないように設置される。
【００３１】
前記エポキシ樹脂１６はケース内部に位置する構成要素の流動を防止すると同時に、絶縁状態になるようにする。
【００３２】
図３は、前記陽イオン電極及び陰イオン電極が大気中で放電動作中に摩耗したり腐食される場合にイオンの発生量が減少するが、これを防止するための手段として電極の先端部をロジウム（Rhodium：R）メッキすることを開示している。
【００３３】
前記ロジウムは耐摩耗性及び耐腐食性に優れた材質であって、このような目的のために多様な分野で使用されている。
【００３４】
このように構成される本考案のイオン発生装置は、イオンを発生させる陽イオン及び陰イオン電極を針状電極としているので、他のいかなる構造の電極に比べてもより多量のプラス及びマイナスイオンを発生させることができる。
【００３５】
図４に示したように制御部で交流電源が直流電源に変わり、この直流電源は増幅されてスイッチングされながら陽イオン電極８と陰イオン電極１０に交互に印加されるので特に大気中にある水分子を分解して水素プラスイオンと酸素マイナスイオンに分解することができる。
【００３６】
そしてケース内部にエポキシ樹脂が充填されているので部品の間の絶縁を維持することができ、放電時に発生する電極の振動を防止することができるので騷音を減らすことができる。
【００３７】
また、本考案のイオン発生装置は特に針状電極の場合、摩耗されたり腐食されればイオン発生量が急激に減少することを防止するために電極先端部をロジウムでメッキしてイオン発生量が減少するので、これを防止することができる。
【００３８】
そして陽イオン電極側に印加される電圧を陰イオン電極側に印加される電圧より低く維持することによって陽イオンと陰イオンが同時に発生してもオゾンの発生を減らすことができる。
【図面の簡単な説明】
【００３９】
【図１】本考案によるイオン発生装置の側断面図である。
【図２】本考案のイオン発生装置に適用されるイオン発生電極の断面図である。
【図３】本考案のイオン発生装置に適用されるイオン発生電極の他の実施例を示す断面図である。
【図４】本考案のイオン発生装置に適用できる制御部を説明するための図面である。
【符号の説明】
【００４０】
２  下部ケース
４  上部ケース
６  引入線
８  陽イオン電極
１０  陰イオン電極
１２  スリーブ
１４  スリーブ
Ｓ１  フィルター部
Ｓ２  整流部
Ｓ３  スイッチ部
Ｓ４  トランス
Ｓ５  時定数部
Ｓ６  第１充放電部
Ｓ７  第２充放電部
Ｖ１  電源回路部
Ｖ２  高圧回路部
【図１】
0003109790.tif 000003
【図２】
0003109790.tif 000004
【図３】
0003109790.tif 000005
【図４】
0003109790.tif 000006